(57)【要約】【課題】小型広帯域な再生帯域を有する磁性流体を用いたスピーカにおいて、長期的に安定な動作と再生特性を両立し、さらに安定したスピーカ装置を製造可能な工法を両立すること。【解決手段】磁気ギャップを有する磁気回路と、少なくとも一部が前記磁気ギャップ中に配置されるボイスコイルと、前記ボイスコイルが固着された振動板と、前記振動板を支持する複数の支持体と、前記ボイスコイル内周部あるいは外周部のどちらか一方に配置された磁性流体から構成され、前記ボイスコイル固着部の前記振動板の形状が、前記磁性流体の配置側方向に平坦部を有し、前記磁性流体が配置されていない側は前記固着部より磁気回路側に凸となるように形成されていることを特徴とするスピーカ装置。【選択図】図１ａ
2013157735.tif 000002
【特許請求の範囲】
【請求項１】
スピーカ装置であって、
磁気ギャップを有する磁気回路と、
少なくとも一部が前記磁気ギャップ中に配置されるボイスコイルと、
前記ボイスコイルが固着された振動板と、
前記振動板を支持する複数の支持体と、
前記ボイスコイル内周部あるいは外周部のどちらか一方に配置された磁性流体から構成され、
前記ボイスコイル固着部の前記振動板の形状が、
前記磁性流体の配置側方向に平坦部を有し、
前記磁性流体が配置されていない側は前記固着部より磁気回路側に凸となるように形成されていることを特徴とするスピーカ装置。
【請求項２】
前記磁気回路が、ヨーク、プレート、マグネットから構成され、前記ヨークと前記プレートの間に形成された磁気ギャップ間に配置された前記ボイスコイルの前記プレート側に前記磁性流体が配置されたことを特徴とする、請求項１に記載のスピーカ装置。
【請求項３】
前記磁性流体がボイスコイルの内側に配置され、
前記振動板のボイスコイル固着部より内側に平坦部を有し、
前記振動板のボイスコイル固着部より外側は磁気回路側に凸となるように形成され、かつボイスコイルの引き出し部に対応する部分は平坦部が形成されていることを特徴とする、請求項１に記載のスピーカ装置。
【請求項４】
前記ボイスコイルの形状が、
円形、トラック状、楕円、および複数の直線部が連続する曲線によって結合された形状のうち、いずれかの形状を有することを特徴とする、請求項１に記載のスピーカ装置。
【請求項５】
前記磁気回路の前記ボイスコイルの内側の高さと、
前記磁気回路の前記ボイスコイルの外側の高さのうち、
前記振動板の凸部を形成した側を低くしたことを特徴とする、請求項１に記載のスピーカ装置。
【請求項６】
前記請求項１〜５に記載されたスピーカ装置を有する、
映像表示装置、オーディオ機器などのＡＶ機器、携帯電話、スマートフォン、タブレットＰＣ等のモバイル情報機器、家電、自動車。
【発明の詳細な説明】
【技術分野】
【０００１】
本発明はスピーカ、当該スピーカを備えた映像音響機器、および当該スピーカを備えた携帯型情報処理装置に関し、より特定的には、広帯域再生が可能な小型のスピーカ、当該スピーカを備えた映像音響機器、および当該スピーカを備えた携帯型情報処理装置、および移動手段、インナーホンに関する。
【背景技術】
【０００２】
近年、映像音響装置、いわゆるＡＶ機器の小型化・高機能化が急速に進行している。特に携帯電話やスマートフォン、タブレットＰＣ（パーソナルコンピュータ）端末などにおいて顕著であるが、小型化と高機能化が同時に進行しているため、搭載されるデバイスにはますます小型・薄型化が求められる。各機器に搭載されるスピーカも例外ではなく、他デバイスと同じように小型・薄型化が求められる。しかし、スピーカの小型化は再生能力、特に再生周波数帯域や再生能率の劣化を招くため、従来の技術では小型化および再生能力に限界があった。
【０００３】
そこで、従来技術として、磁性流体を磁気回路の中に配置し、スピーカ再生帯域を向上したスピーカがあった（例えば、特許文献１参照）。図９は、上述の特許文献１に記載された従来のスピーカを示すものである。
【０００４】
図９に示すスピーカは、磁気回路１０８中にボイスコイル１０６を配置し、振動板１０３を駆動する。磁気回路１０８のプレート１０２外周部とボイスコイル１０６内周部の間に磁性流体１０７を配置して、振動板１０３の前面の空間と、背面の空間を隔てることで、前面から発生する音と、背面から発生する音の打ち消しあいを防止すると共に、振動板１０３のローリング振動を防止し、かつボイスコイル１０６で発生するジュール熱を磁気回路１０８部に逃す構造とした。さらに磁性流体１０７とあわせて複数のエッジ部１０４ａ、１０４ｂ、１０４ｃ、１０４ｄで振動板１０３を支持することで、振動板１０３の外周全部をエッジで構成した場合と比べて振動板にはたらく支持系のコンプライアンスを増大させ、小口径でも低周波数域の再生を可能とした。
【０００５】
図９に記載のように、ボイスコイル１０６との接合部の振動板１０３の形状がボイスコイル１０６に対して凹形状となっている。この凹形状は、ボイスコイル１０６との接着面積を十分確保し、接着強度を確保するため、および振動板１０３とボイスコイル１０６を接着剤にて接合する際、接着剤をこの凹部に塗布することで、接着剤が接着部以外に流れ出すことを防止するための２つの役割を持つものである。
【先行技術文献】
【特許文献】
【０００６】
【特許文献１】特願２００９−５４２４６３号公報
【発明の概要】
【発明が解決しようとする課題】
【０００７】
特許文献１のように構成したスピーカをしばらくの時間放置すると、ボイスコイル１０６内周部とプレート１０２外周部に配置された磁性流体１０７の量が著しく減少することで、振動板１０３前面と背面の空間がつながり、前面と背面の音が打ち消しあい、再生特性が劣化してしまう課題が生じる。
【０００８】
磁性流体１０７の減少の要因を分析すると、ボイスコイル１０６表面を伝って磁性流体１０７が移動し、振動板１０３の上記凹部のボイスコイル１０６と振動板１０３の凹部の隙間に滞留していた。一般的にボイスコイル１０６は細い導体線を巻回させて形成するため、表面に細かな凹凸が存在する。ボイスコイル１０６表面の細かな凹凸によって生じる毛細管現象により、磁性流体１０７が徐々に伝って移動したと考えられる。時間が経過するにしたがい、ボイスコイル１０６と振動板１０３の凹部の隙間に磁性流体１０７の移動が進行し、ボイスコイル１０６内周部とプレート１０２外周部の間の磁気ギャップに配置された磁性流体１０７の量が減少する。ボイスコイル１０６と振動板１０３の隙間の容積が大きいと、振動板１０３前後空間がつながるほど前記磁気ギャップ中の磁性流体１０７の減少が著しくなる。
【０００９】
特許文献１には、図１０のようにボイスコイル１０６の接合部の振動板１０３の形状が平坦になった例も開示されている。図９と異なり、振動板１０３に凹部が存在しないために、磁性流体１０７が溜まるスペースがなく、磁性流体１０７の移動を抑制することができる。しかし、振動板１０３に凹部が存在しないために、ボイスコイル１０６と振動板１０３の接合のための接着剤塗布時に、接着剤が滞留することができず、流れ出してしまう。流れ出し硬化した接着剤が、振動板１０３の重量バランスを崩し、非対称振動や、振動板１０３あるいはボイスコイル１０６と磁気回路１０８の接触の原因となり、安定動作を阻害する。また、振動板１０３とボイスコイル１０６の接着面積はボイスコイル１０６上面のみとなるため、接着面積が十分確保できないため、十分な接着強度が得られず、動作中のボイスコイル１０６のはずれ等の動作不良の原因となる。
【００１０】
本発明は、従来の課題を解決するもので、上記、磁性流体を用いて小口径でも低周波数域の再生を可能としたスピーカおよび、当該スピーカを搭載したＡＶ機器において、長期間安定した再生特性を提供することを目的とする。
【課題を解決するための手段】
【００１１】
従来の課題を解決するために、本発明のスピーカ装置における第１の局面では、磁気ギャップを有する磁気回路と、磁気ギャップ中に配置されたボイスコイルと、ボイスコイルの内側あるいは外側のどちらか一方に配置された磁性流体と、ボイスコイルが固着された振動板と、振動板を支持する複数のエッジとを有するスピーカ装置において、振動板のボイスコイル固着部のうち、磁性流体が配置された側は平坦部を有し、振動板の外側は磁気回路側に凸形状を有することを特徴とする。
【００１２】
本構成によって、毛細管現象によって磁性流体がボイスコイル表面を伝って振動板側に移動することがあっても、磁性流体配置側のボイスコイル固着部の振動板形状が平坦であるため、磁性流体が滞留する空間がほとんど存在しないため、磁気ギャップ間に配置された磁性流体の減少を防止することができる。同時に磁性流体を配置しない側のボイスコイル固着部の振動板形状は磁気回路側に凸形状に形成されるため、ボイスコイル固着用の接着剤塗布時に接着剤の流れ出しを防ぎ、流れ出し等による振動板の不要振動や接触を防止するとともに、凸形状によって確保された接着面積により、十分な接着強度を確保することができる。
【００１３】
また本発明のスピーカ装置における第２の局面では、磁気回路が、ヨーク、プレート、マグネットから構成され、ヨークとプレートの間に形成された磁気ギャップ間に配置されたボイスコイルのプレート側に磁性流体が配置されたことを特徴としてもよい。
【００１４】
これにより、磁性流体がプレート側に配置されるために、磁性流体がより安定的に位置する。
【００１５】
また本発明のスピーカ装置における第３の局面では、磁性流体がボイスコイルの内側に配置され、振動板のボイスコイル固着部より内側に平坦部を有し、振動板のボイスコイル固着部より外側は磁気回路側に凸となるように形成され、かつボイスコイルの引き出し部に対応する部分は平坦部が形成されていることを特徴としてもよい。
【００１６】
これにより、振動板のボイスコイルより外側の部分で、凸形状の一部でボイスコイルの引き出し部に対応する部分に平坦部を形成することで、製造時により安定的にボイスコイルを振動板に接着することができ、またボイスコイルの曲げ半径を小さくする必要がないため断線を防止することができる。また、振動板とボイスコイルの接触による異音を防止することができる。
【００１７】
また本発明のスピーカ装置における第４の局面では、ボイスコイルの形状が、円形、トラック状、楕円、および複数の直線部が連続する曲線によって結合された形状のうち、いずれかの形状を有することを特徴としてもよい。
【００１８】
これにより、ボイスコイルの形状が、円形、トラック状、楕円、および複数の直線部が連続する曲線によって結合された形状のうち、いずれかの形状から選択することができる。より特定的には、曲線の曲率半径が１ｍｍ以上とすることにより、ボイスコイルの形状による磁性流体の這い上がりを防ぐことができる。これにより、スピーカを用いる機器の形状に合わせて適切な形状を選択することができる。
【００１９】
また本発明のスピーカ装置における第５の局面では、磁気回路のボイスコイルの内側の高さと、磁気回路のボイスコイルの外側の高さのうち、振動板の凸部を形成した側を低くしたことを特徴としてもよい。
【００２０】
これにより、プレートの高さをヨークの高さより低く形成することで、振動板が大きく振幅したときの磁気回路と振動板の接触をより効果的に防ぐことができる。これにより、再生音圧性能を維持したまま、スピーカの薄型化で有利となる。
【発明の効果】
【００２１】
本発明のスピーカ装置では、磁気ギャップ間に配置された磁性流体の減少を防止することができる。よって磁性流体を用いて小口径でも低周波数域の再生を可能としたスピーカおよび、当該スピーカを搭載したＡＶ機器において、長期間安定した再生特性を提供できる。
【図面の簡単な説明】
【００２２】
【図１ａ】本発明の実施の形態１におけるスピーカの構造断面図
【図１ｂ】本発明の実施の形態１におけるスピーカの構造断面拡大図
【図２】本発明の実施の形態１におけるスピーカの構造断面図
【図３】本発明の実施の形態２におけるスピーカの構造断面図
【図４】本発明の実施の形態３におけるスピーカの構造断面図
【図５】本発明の実施の形態４におけるモバイル情報端末装置
【図６】本発明の実施の形態５における画像表示装置
【図７】本発明の実施の形態６における車載スピーカの搭載図
【図８】本発明の実施の形態７におけるインナーホンの構造断面図
【図９】従来のスピーカの構造断面図
【図１０】従来のスピーカの構造断面図
【発明を実施するための形態】
【００２３】
以下本発明の実施の形態について、図面を参照しながら説明する。
【００２４】
（実施の形態１）
図１は、本発明の実施の形態１のスピーカ装置の構造断面図である。図１において、１０はヨーク、１１はマグネット、１２はプレート、１３は振動板、１４ａ〜ｄはエッジ、１５はフレーム、１６はボイスコイル、１７は磁性流体である。ヨーク１０、マグネット１１、プレート１２で内磁型の磁気回路を構成し、ヨーク１０とプレート１２の間に磁気ギャップを形成している。磁気ギャップには、ボイスコイル１６が配置されている。ボイスコイル１６は振動板１３に固着され、振動板１３はエッジ１４ａ〜ｄによって支持されている。ボイスコイル１６とプレート１２の間には磁性流体１７が配置され、磁気ギャップ中の磁場によって保持されている。１６ａ、１６ｂはボイスコイル１６の引き出し線であり、フレーム１５または磁気回路上に固定される。なお、図１で引き出し線は、振動板１３の上部に記載しているが、振動板１３とフレーム１５の間でもよい。また、フレーム１５の一部や磁気回路裏側に電極を設け、そちらに配線しても良い。
【００２５】
振動板１３のボイスコイル１６固着部の形状は内径側に平坦部を有し、外径側が磁気回路に向かって凸形状に成形されている。
【００２６】
以下、このスピーカ装置の動作について説明する。ボイスコイル１６に音信号を印加すると、フレミング左手の法則にしたがって、ボイスコイル１６には磁気ギャップ中の磁束密度と流れる電流に比例した力が発生する。この結果、振動板１３が振動し、音を再生する。一般的な動電型スピーカと異なり、エッジ１４ａ〜ｄは複数の分断された分割エッジであるため、振動板１３前後の空間を隔てる役割はない。しかし、磁性流体１７がボイスコイル１６内側に満たされているため、ボイスコイル１６内側の空間と、振動板１３前面の空間は隔てられる。このため、振動板１３前面から再生する音は、ボイスコイル１６より内側の振動板１３背面から発生する逆位相音によって、打ち消されることはない。
【００２７】
同時に、振動板１３の外側は磁気回路側に凸に形成されているため、振動板１３とボイスコイル１６を接着する際に接着剤を凸部内側に沿って塗布することで、接着剤が振動板１３のボイスコイル１６接着位置より外側に流れ出すことを防げる。また接着剤は凸部に沿って塗布されるため、内側へのはみ出しも最小限にとどめることができる。このため、接着剤のはみ出しによって、振動板１３の重量バランスが崩れ、振動分布が乱れることを防げる。また、凸部がボイスコイル１６側面にも接するため、振動板１３とボイスコイル１６の接着強度が強くなる。
【００２８】
なお、ボイスコイル１６と振動板１３の接着部では、ボイスコイル１６上面または側面が全周にわたって接着されていることが望ましい。上記接着部にボイスコイル１６内周側から外周側に抜ける隙間があると、ボイスコイル１６内周側から接着部の隙間を通じて、ボイスコイル１６外周部に磁性流体１７が流れ、外周部の凸部に磁性流体１７が滞留する可能性があるためである。
【００２９】
図１では振動板１３のボイスコイル１６より内側は平坦部で構成されているため、磁性流体１７がボイスコイル１６の内径側表面を毛細管現象によって振動板１３側に移動したとしても、磁性流体１７が滞留する部分がないため、磁気ギャップ中の磁性流体１７が大きく減少することはない。このため、振動板１３前後を隔てる役割が失われることがない。なお、振動板１３のボイスコイル１６より内側は平坦部を有すると記したが、ボイスコイル１３の接着面を規準として、磁気回路と反対側に振動板が曲がっていてもよい。
【００３０】
平坦部の幅はボイスコイル１６の径方向の寸法公差と、磁性流体１７と振動板１３間のぬれ性を勘案して設計する。なお、平坦部の内周半径をプレート１２の外径より大きく設計してもよい。平坦部の内周より内側は、高周波数側の再生帯域を確保するため、ある程度の振動板１３の剛性を確保するために磁気回路の反対側に凸にするようにする。このような場合は振動板１３と磁気回路の距離がより大きくとれるため、薄型化には有利となる。あまり平坦部の幅を大きく取ると、振動板１３の平坦部分で平面共振が発生するため、略平坦状にする幅は再生帯域を勘案し、適当な値に設定することが望ましい。
【００３１】
振動板１３の形状をボイスコイル１６の外周部全体にわたって凸形状にすると、製造組立時にボイスコイル引き出し線１６ａ、１６ｂが振動板１３のボイスコイル１６外周の凸部に干渉することがある。この場合、ボイスコイル１６の引き出し部を短い曲率半径で曲げながら振動板１３の凸部に沿わせる必要が生じる。十分な曲率半径で曲げられなかった場合、ボイスコイル１６の剛性によってボイスコイル１６が振動板１３から浮いた構造になりやすい。こういった問題を解決するために、図１ｂで示すようにボイスコイル１６の引き出し部のみ、振動板の形状を変化させてもよい。図１ｂの右上には、振動板１３及び引き出し線１６ａを引き出し線１６ａの断面方向から見た図を示す。このように、振動板１３外周部の外側は、引き出し線１６ａが振動板１３に沿い易い構造にする。また振動板１３の外周部のうち、図１ｂのようにボイスコイル１６の引き出し部のみ凸ではなく平面とすることで、ボイスコイルの引き出し線１６ａを出しやすくしてもよい。製造時に振動板１３に対しボイスコイル１６が傾いて固着されない、ボイスコイル１６の回転方向の位置決めがしやすいなどの利点がある。さらに、動作時も振動板１３とボイスコイル１６の引き出し部が接触しにくくなり、接触による異音をより防止できるという利点も得られる。
【００３２】
なお、図１ａは円形の磁気回路、円形のボイスコイル１６の実施例を示しているが、図２に構造断面図を示すように矩形のスピーカに適用してもよい。図２において、ボイスコイル１６の形状が２組の平行な線分とそれぞれの間を曲線でつないだ形をしており、磁気回路もボイスコイル１６に対応した形状をしている。１４ａ、１４ｂは振動板を支持するエッジで、矩形のスピーカの長手方向両端に配置されている。矩形のスピーカの方が、縦横のアスペクト比によっては機器筐体の幅の狭い部分に配置できたり、奥行きの小さいところに配置できたりといった、形状的な利点が出せる。
【００３３】
その他、ボイスコイル１６の形状が、１組の平行な線分とその間をそれぞれ曲線で結んだトラック形状や、楕円形状としてもよい。また、それぞれに用いる曲線の半径は、ボイスコイル１６角部での磁性流体の這い上がりを防止するため、１ｍｍ以上とすることが望ましい。
【００３４】
（実施の形態２）
図３は、本発明の実施の形態２のスピーカ装置の構造断面図である。図３において磁気回路の構成、振動板１３等の部材名称は、実施の形態１と同様であるので省略する。違いとしては、磁性流体１７がボイスコイル１６の外側とヨーク１０の内側の間に配置されている点が異なり、それに伴い、振動板１３の平坦部がボイスコイル１６の外側、凸部がヨーク１０の内側に位置している。
【００３５】
平坦部の幅は実施の形態１と同様、ボイスコイル１６の寸法公差と磁性流体１７と振動板１３の接触角を勘案して決められる。
【００３６】
スピーカの動作については実施の形態１と同様なので省略する。
【００３７】
図３では振動板１３のボイスコイル１６より外側は平坦部で構成されているため、磁性流体１７がボイスコイル１６の外径側表面を毛細管現象によって振動板１３側に移動したとしても、磁性流体１７が滞留する部分がないため、磁気ギャップ中の磁性流体１７が大きく減少することはない。このため、振動板１３前後を隔てる役割が失われることがない。なお、振動板１３のボイスコイル１６より外側は平坦部を有すると記したが、ボイスコイル１６の接着面を規準として、磁気回路と反対側に振動板１３が曲がっていてもよい。
【００３８】
平坦部の幅はボイスコイル１６の径方向の寸法公差と、磁性流体１７と振動板１３間のぬれ性を勘案して設計する。なお、平坦部の外周半径をヨーク１０のプレート１２に対向する部分の内径より小さく設計してもよい。平坦部の外周より外側は、磁気回路とは反対側に凸にしたエッジを形成する。このような場合は振動板１３と磁気回路の距離がより大きくとれるため、薄型化には有利となる。あまり平坦部の幅を大きく取ると、振動板１３の平坦部分で平面共振が発生するため、平坦部の幅は適切な値に設定することが望ましい。
【００３９】
同時に、振動板１３の内側は磁気回路側に凸に形成されているため、振動板１３とボイスコイル１６を接着する際に接着剤を凸部内側に沿って塗布することで、接着剤が振動板１３のボイスコイル１６接着位置より内側に流れ出すことを防げる。また接着剤は凸部に沿って塗布されるため、外側へのはみ出しも最小限にとどめることができる。このため、接着剤のはみ出しによって、振動板１３の重量バランスが崩れ、振動分布が乱れることを防げる。また、凸部がボイスコイル１６側面にも接するため、振動板１３とボイスコイル１６の接着強度が強くなる。
【００４０】
（実施の形態３）
図４は、本発明の実施の形態３のスピーカ装置の構造断面図である。図４において各部材名称は、実施の形態１と同様であるので省略する。マグネット１１が磁気ギャップ外側に位置する、いわゆる外磁型といわれる構造の磁気回路という点で実施の形態１および実施の形態２と異なる。磁性流体１７は実施の形態２と同様、ボイスコイル１６の外側とヨーク１０の内側の間に配置されている。振動板の平坦部はボイスコイル１６の外側、凸部がヨーク１０の内側に位置している。
【００４１】
スピーカの動作については実施の形態１と同様なので省略する。
【００４２】
図４では振動板１３のボイスコイル１６より外側は平坦部で構成されているため、磁性流体１７がボイスコイル１６の外径側表面を毛細管現象によって振動板１３側に移動したとしても、磁性流体１７が滞留する部分がないため、磁気ギャップ中の磁性流体１７が大きく減少することはない。このため、振動板１３前後を隔てる役割が失われることがない。なお、振動板１３のボイスコイル１６より外側は平坦部を有すると記したが、振動板１３とボイスコイル１６の接着面を規準として、磁気回路と反対側に振動板１３が曲がっていてもよい。
【００４３】
平坦部の幅については実施の形態２と同様であるので省略する。
【００４４】
同時に、振動板１３の内側は磁気回路側に凸に形成されているため、振動板１３とボイスコイル１６を接着する際に接着剤を凸部内側に沿って塗布することで、接着剤が振動板１３のボイスコイル１６接着位置より内側に流れ出すことを防げる。また接着剤は凸部に沿って塗布されるため、外側へのはみ出しも最小限にとどめることができる。このため、接着剤のはみ出しによって、振動板１３の重量バランスが崩れ、振動分布が乱れることを防げる。また、凸部がボイスコイル１６側面にも接するため、振動板１３とボイスコイル１６の接着強度が強くなる。
【００４５】
（実施の形態４）
図５は、本発明の実施の形態４のモバイル情報端末装置である。図５において、２０１はモバイル情報端末装置、２０２は画面、１は実施の形態１〜実施の形態３に示したうちから選択されるスピーカ装置である。なお、スピーカ装置１は密閉型キャビネット、あるいはバスレフ型キャビネットとともにモバイル情報端末装置２０１に取り付けられても良い。また、キャビネットは取り付けず、そのまま開放型としてモバイル情報端末装置２０１に取り付けられても良い。図５では３箇所にスピーカ装置１を配置しているが、スピーカ装置は１個以上であれば、いくつでも構わない。１個であればモノラルとなるが、２個でステレオ、２個以上使えば音場制御やＨＲＴＦ用のデバイスとしても使用可能となる。
【００４６】
スピーカ装置１をモバイル情報端末装置２０１のような搭載容積が限られた機器に搭載することにより、限られた容積でも広帯域再生を安定的に可能とする。なお、搭載時の搭載方向については、筐体に設けられる音孔に対し、振動板１３を音孔側に向けても、磁気回路を音孔側に向けても構わない。
【００４７】
（実施の形態５）
図６は、本発明の実施の形態５の画像表示装置である。より具体的には、ＰＣや薄型ＴＶなどである。図６において、２０３は画像表示装置、２０２は画面、１は実施の形態１〜実施の形態３に示したうちから選択されるスピーカ装置である。なお、スピーカ装置１は密閉型キャビネット、あるいはバスレフ型キャビネットとともに画像表示装置２０３に取り付けられても良い。また、キャビネットは取り付けず、そのまま開放型として画像表示装置２０３に取り付けられても良い。図６では計１６箇所にスピーカ装置１を配置しているが、スピーカ装置は１個以上であれば、いくつでも構わない。１個であればモノラルとなるが、２個でステレオ、２個以上使えば（例えばラインアレイとして配置すれば）音場制御やＨＲＴＦ用のデバイスとしても使用可能となる。
【００４８】
スピーカ装置１を画像表示装置２０３のような搭載容積が限られてきている機器に搭載することにより、限られた容積でも広帯域再生を安定的に可能とする。なお、搭載時の搭載方向については、筐体に設けられる音孔に対し、振動板１３を音孔側に向けても、磁気回路を音孔側に向けても構わない。
【００４９】
（実施の形態６）
図７は、本発明の実施の形態６の車載スピーカの搭載図である。図７において、２０４は自動車のドア、１は実施の形態１〜実施の形態３に示したうちから選択されるスピーカ装置である。なお、スピーカ装置１は密閉型キャビネット、あるいはバスレフ型キャビネットとともに自動車のドア２０４に取り付けられても良い。また、キャビネットは取り付けず、そのまま開放型として自動車のドア２０４に取り付けられても良い。図７では３箇所にスピーカ装置１を配置しているが、スピーカ装置は１個以上であれば、いくつでも構わない。また、図７では自動車のドア２０４に取り付けた例を示すが、自動車のダッシュボードやピラー、シート、ヘッドレスト、天井など、自動車のどの位置に取り付けてもよい。また、自動車以外にも、電車やモノレール、リニアモーター、飛行機、船舶など、各種移動手段に取り付けてもよい。
【００５０】
従来、広帯域再生、特に低音を再生するには大型のスピーカが必要であった。本願の磁性流体１７を用いたスピーカでは小型でも低音を再生可能なスピーカが実現可能なため、従来と比べ小型、あるいは軽量なスピーカで従来と同じ音響特性を実現可能である。この結果、移動手段全体の小型化、軽量化につながり、居住空間の増大による快適性の向上、あるいは車体の小型・軽量化による、燃費の向上が可能となる。
【００５１】
なお、搭載時の搭載方向については、筐体に設けられる音孔に対し、振動板１３を音孔側に向けても、磁気回路を音孔側に向けても構わない。
【００５２】
（実施の形態７）
図８は、本発明の実施の形態７のインナーイヤーホンの搭載図である。図８において、２０５はインナーイヤーホン、２０６はインナーイヤーホンのコード、２０７はイヤーチップである。１は実施の形態１〜実施の形態３に示したうちから選択されるスピーカ装置である。
【００５３】
従来、インナーイヤーホン２０５に用いられるようなスピーカ（レシーバ）は口径が小さいため、最低共振周波数が高く、豊かな低音を再生することが難しかった。今回、本発明のスピーカ装置１をインナーイヤーホン２０５に搭載することで、これまでになく豊かな低音が再生できるインナーイヤーホン２０５を提供可能である。なお、搭載時の搭載方向については、筐体に設けられる音孔に対し、振動板１３を音孔側に向けても、磁気回路を音孔側に向けても構わない。
【００５４】
また、図８のイヤーチップ２０７は密閉型のイヤーチップ２０７を記載したが、イヤーチップ２０７の傘の部分に通気孔を有し耳穴内部からイヤーチップ２０７の通気孔を通じて外気が流通可能な開放型イヤーチップを用いてもよい。開放型イヤーチップを用いると、耳穴のムレが防止できる。
【００５５】
また本実施の形態７はインナーイヤーホン２０５に関する記述であるが、ヘッドセットあるいはヘッドホンあるいは補聴器に適用しても構わない。
【産業上の利用可能性】
【００５６】
本発明にかかるスピーカ装置は、小型ながら広帯域を再生可能な能力を有し、かつ安定的に動作することが可能なため、単独で小型高音質スピーカとして有用である。また、スピーカを搭載する各機器において、小型高音質化デバイスとして有用である。
【符号の説明】
【００５７】
1    本発明におけるスピーカ装置
１０    ヨーク
１１    マグネット
１２    プレート
１３    振動板
１４ａ、１４ｂ、１４ｃ、１４ｄ    エッジ
１５    フレーム
１６    ボイスコイル
１６ａ、１６ｂ    ボイスコイルの引き出し線
１７    磁性流体
１００    ヨーク
１０１    マグネット
１０２    プレート
１０３    振動板
１０４ａ、１０４ｂ、１０４ｃ、１０４ｄ    エッジ
１０５    フレーム
１０６    ボイスコイル
１０７    磁性流体
１０８    磁気回路
２０１    モバイル情報端末装置
２０２    画面
２０３    画像表示装置
２０４    自動車のドア
２０５    インナーイヤーホン
２０６    インナーイヤーホンのコード
２０７    イヤーチップ
【図１ａ】
2013157735.tif 000003
【図１ｂ】
2013157735.tif 000004
【図２】
2013157735.tif 000005
【図３】
2013157735.tif 000006
【図４】
2013157735.tif 000007
【図５】
2013157735.tif 000008
【図６】
2013157735.tif 000009
【図７】
2013157735.tif 000010
【図８】
2013157735.tif 000011
【図９】
2013157735.tif 000012
【図１０】
2013157735.tif 000013